(57)【要約】【課題】設備の保全管理に携帯端末及びＢｅａｃｏｎ端末を活用することで作業員の利便性の向上及び低コスト化を図る。【解決手段】設備保全情報管理システムは、現場設備３０の保全情報データを格納しているサーバ装置１１と、現場設備３０に接続され、Ｂｅａｃｏｎ信号を発信するＢｅａｃｏｎ端末３１と、Ｂｅａｃｏｎ信号を受信したときにＢｅａｃｏｎ信号を受信したことを示すＢｅａｃｏｎ受信情報をサーバ装置１１に送信して照会するスマートデバイス端末２０とを備え、サーバ装置１１は、スマートデバイス端末２０から受信したＢｅａｃｏｎ受信情報に基づいてＢｅａｃｏｎ信号を発信したＢｅａｃｏｎ端末に接続されている設備を特定してスマートデバイス端末２０に応答する。【選択図】図２
2018156373.tif 000002
【特許請求の範囲】
【請求項１】
監視対象の設備の保全情報データを格納しているサーバ装置と、
前記設備に接続され、Ｂｅａｃｏｎ信号を発信するＢｅａｃｏｎ端末と、
前記Ｂｅａｃｏｎ信号を受信したときに、前記Ｂｅａｃｏｎ信号を受信したことを示すＢｅａｃｏｎ受信情報を前記サーバ装置に送信する携帯端末と
を備え、
前記サーバ装置は、前記携帯端末から受信した前記Ｂｅａｃｏｎ受信情報に基づいて、前記Ｂｅａｃｏｎ信号を発信した前記Ｂｅａｃｏｎ端末に接続されている前記設備を特定する、
設備保全情報管理システム。
【請求項２】
前記サーバ装置は、特定した前記設備の保全情報データを前記携帯端末に送信し、
前記携帯端末は、前記サーバ装置から受信した前記設備の前記保全情報データを画面表示する、
請求項１に記載の設備保全情報管理システム。
【請求項３】
前記Ｂｅａｃｏｎ端末は、
前記設備の稼働状況を示す計測データを取得する計測センサーと、
前記計測センサーによって取得された前記計測データを前記携帯端末に送信する通信部と
を有している、
請求項１または２に記載の設備保全情報管理システム。
【請求項４】
前記携帯端末は、前記保全情報データととともに、前記Ｂｅａｃｏｎ端末から受信した前記計測データを画面表示する、
請求項３に記載の設備保全情報管理システム。
【請求項５】
前記設備は複数個設置され、
各前記設備ごとに前記Ｂｅａｃｏｎ端末が少なくとも１つ接続されており、
各前記Ｂｅａｃｏｎ端末が発信する前記Ｂｅａｃｏｎ信号は、各前記Ｂｅａｃｏｎ端末を特定するためのＩＤ情報を含み、
前記携帯端末は、前記ＩＤ情報を含んだ前記Ｂｅａｃｏｎ受信情報を前記サーバ装置に送信し、
前記サーバ装置は、前記携帯端末から前記Ｂｅａｃｏｎ受信情報を受信したときに、前記Ｂｅａｃｏｎ受信情報の前記ＩＤ情報に基づいて、前記Ｂｅａｃｏｎ信号を発信した前記Ｂｅａｃｏｎ端末を特定することで、前記Ｂｅａｃｏｎ端末に接続されている前記設備を特定する、
請求項１から４までのいずれか１項に記載の設備保全情報管理システム。
【請求項６】
サーバ装置が監視対象の設備の保全情報データを格納するステップと、
前記設備に接続されたＢｅａｃｏｎ端末がＢｅａｃｏｎ信号を発信するステップと、
携帯端末が前記Ｂｅａｃｏｎ信号を受信するステップと、
前記携帯端末が前記Ｂｅａｃｏｎ信号を受信したことを示すＢｅａｃｏｎ受信情報を前記サーバ装置に送信するステップと、
前記サーバ装置が前記Ｂｅａｃｏｎ受信情報を受信するステップと、
前記サーバ装置が、受信した前記Ｂｅａｃｏｎ受信情報に基づいて、前記Ｂｅａｃｏｎ信号を発信した前記Ｂｅａｃｏｎ端末に接続されている前記設備を特定するステップと、
前記サーバ装置が、特定した前記設備の前記保全情報データを前記携帯端末に送信するステップと、
前記携帯端末が前記保全情報データを受信して画面表示するステップと
を備えた設備保全情報管理方法。
【請求項７】
前記Ｂｅａｃｏｎ端末が計測センサーを用いて前記設備の稼動状況を示す計測データを取得するステップと、
前記Ｂｅａｃｏｎ端末が前記計測データを前記携帯端末に送信するステップと、
前記携帯端末が前記計測データを受信するステップと、
前記携帯端末が、受信した前記計測データを、前記保全情報データとともに画面表示するステップと
をさらに備えた、
請求項６に記載の設備保全情報管理方法。
【請求項８】
監視対象の設備に接続されたＢｅａｃｏｎ端末がＢｅａｃｏｎ信号を発信するステップと、
携帯端末が前記Ｂｅａｃｏｎ信号を受信するステップと、
前記携帯端末が前記Ｂｅａｃｏｎ信号を受信したことを示すＢｅａｃｏｎ受信情報をサーバ装置に送信するステップと、
前記サーバ装置が前記Ｂｅａｃｏｎ受信情報を受信するステップと、
前記サーバ装置が前記Ｂｅａｃｏｎ受信情報に基づいて、前記Ｂｅａｃｏｎ信号を発信した前記Ｂｅａｃｏｎ端末に接続されている設備を特定するとともに前記携帯端末の位置を特定するステップと
を備えた設備保全情報管理方法。
【発明の詳細な説明】
【技術分野】
【０００１】
この発明は、設備保全情報管理システム及び設備保全情報管理方法に関し、特に、Ｂｅａｃｏｎ端末を用いて設備保全を行う為の設備保全情報管理システム及び設備保全情報管理方法に関するものである。
【背景技術】
【０００２】
工場には、生産設備等の各種設備が多数設置され、これらの設備は、予め決められた順序及びタイミングに従って稼動している。これらの設備は、経年劣化または故障などにより、生産品の品質の低下または稼働率の悪化を招く可能性がある。そのため、品質維持および稼働率の向上のために、各設備の経年劣化および異常の予知保全として、保全データを収集することは重要である。
【０００３】
そのため、従来より、保全データを収集するための監視システムが提案されている（例えば、特許文献１参照）。
【０００４】
図６は、そのような従来の監視システムの一例を模式的に示した図である。従来の監視システムにおいては、図６に示すように、各設備１００に対して収集用パソコン１０１がフィールドネットワーク１０２を介して接続されている。収集用パソコン１０１は、収集アプリケーションを動作させ、常時、各設備１００の設備保全データを収集し、ＬＡＮ１０３を介して、上位サーバ１０４へ送信する。上位サーバ１０４は、当該設備保全データを受信し、図示しないメモリ装置に格納する。
【０００５】
作業員が、上位サーバ１０４のメモリ装置に格納された設備保全データを閲覧したい場合には、事務所に戻って事務所に設置されたパソコンを用いて閲覧するか、あるいは、現場に設置された現場パソコン１０５まで移動して、現場パソコン１０５の画面を開いてデータの閲覧および分析を行っていた。
【先行技術文献】
【特許文献】
【０００６】
【特許文献１】特開平１１−３３８５３５号公報
【発明の概要】
【発明が解決しようとする課題】
【０００７】
上述したように、従来の監視システムにおいては、作業員が設備保全データを閲覧したい場合には、事務所または現場パソコン１０５まで移動して閲覧しなければならなかった。そのため、作業員が各設備１００から離れる必要があり、その結果、保全業務が後手に回るなどの不自由なことが多いという問題点があった。
【０００８】
また、各設備１００間にフィールドネットワーク１０２を敷設したり、現場に現場パソコン１０５を設置したりする必要があり、コストがかかるという問題点があった。
【０００９】
この発明はかかる問題点を解決するためになされたものであり、設備の保全管理に携帯端末及びＢｅａｃｏｎ端末を活用することで作業員の利便性の向上を図るとともに低コスト化を図ることが可能な、設備保全情報管理システム及び設備保全情報管理方法を得ることを目的としている。
【課題を解決するための手段】
【００１０】
この発明は、監視対象の設備の保全情報データを格納しているサーバ装置と、前記設備に接続され、Ｂｅａｃｏｎ信号を発信するＢｅａｃｏｎ端末と、前記Ｂｅａｃｏｎ信号を受信したときに、前記Ｂｅａｃｏｎ信号を受信したことを示すＢｅａｃｏｎ受信情報を前記サーバ装置に送信する携帯端末とを備え、前記サーバ装置は、前記携帯端末から受信した前記Ｂｅａｃｏｎ受信情報に基づいて、前記Ｂｅａｃｏｎ信号を発信した前記Ｂｅａｃｏｎ端末に接続されている前記設備を特定する、設備保全情報管理システムである。
【発明の効果】
【００１１】
この発明によれば、設備の保全管理にＢｅａｃｏｎ端末及び作業員が携帯する携帯端末を活用することで、携帯端末の位置を自動的に特定できるとともに、作業員が設備から離れる必要が無くなり、作業員の利便性の向上および作業効率の向上を図ることができるとともに、携帯端末を使用することで低コスト化を図ることができる。
【図面の簡単な説明】
【００１２】
【図１】この発明の実施の形態１に係る設備保全情報管理システムの構成を模式的に示した模式図である。
【図２】この発明の実施の形態１に係る設備保全情報管理システムの内部構成を示したブロック図である。
【図３Ａ】この発明の実施の形態１に係る設備保全情報管理システムの処理の流れを示したフローチャートである。
【図３Ｂ】この発明の実施の形態１に係る設備保全情報管理システムの処理の流れを示したフローチャートである。
【図３Ｃ】この発明の実施の形態１に係る設備保全情報管理システムの処理の流れを示したフローチャートである。
【図４】この発明の実施の形態２に係る設備保全情報管理システムの内部構成を示したブロック図である。
【図５】この発明の実施の形態２に係る設備保全情報管理システムの処理の流れを示したフローチャートである。
【図６】従来のシステムの構成を模式的に示した模式図である。
【発明を実施するための形態】
【００１３】
実施の形態１．
以下、図面に基づいて、この発明の実施の形態１に係る設備保全情報管理システムについて説明する。図１は、実施の形態１に係る設備保全情報管理システム１の構成を模式的に示した図である。
【００１４】
設備保全情報管理システム１においては、図１に示すように、サーバ装置１１は、ＬＡＮ（Ｌｏｃａｌ  Ａｒｅａ  Ｎｅｔｗｏｒｋ）等の通信ネットワークＮｅｔを介して、アクセスポイント４０に接続されている。サーバ装置１１は、現場設備３０の保全情報を収集し格納している。
【００１５】
サーバ装置１１は、図１に示すように、表示部１２、入力部１３、通信部１４等を有している。表示部１２は、例えば液晶ディスプレイ等で構成されており、サーバ装置１１に格納された情報を表示する。入力部１３は、例えばキーボード等から構成されており、各種データの入力を行う。通信部１４は、例えばＬＡＮカード等のネットワーク機器で構成され、アクセスポイント４０を介して、サーバ装置１１とスマートデバイス端末２０との間のデータ送受信を行う。
【００１６】
アクセスポイント４０は、有線ＬＡＮ通信を無線ＬＡＮ通信に変換する機能を有している装置である。
【００１７】
スマートデバイス端末２０は、スマートフォン、タブレットＰＣ等の携帯端末から構成されており、無線ＬＡＮ通信およびＢｌｕｅｔｏｏｔｈ（登録商標）通信機能を有している。なお、スマートデバイス端末２０は、スマートフォンおよびタブレットＰＣに限定されるものではなく、無線ＬＡＮ通信及びＢｌｕｅｔｏｏｔｈ通信機能を有している携帯端末であればいずれのものでもよい。
【００１８】
現場設備３０は、工場内の現場に設置された設備全般を総称した表現であり、特定の装置を示すものではない。現場設備３０は、１つの設備を示していてもよく、複数の設備を示していてもよい。現場設備３０に含まれる各設備は、計測器、監視コントローラ等、各種製品を生産するうえで必要な機器を備えている。
【００１９】
計測センサー付きＢｅａｃｏｎ端末３１は、Ｂｌｕｅｔｏｏｔｈ通信機能を有し、Ｂｅａｃｏｎ信号を発信する装置である。Ｂｅａｃｏｎ信号とは、Ｂｌｕｅｔｏｏｔｈで送信される信号の一種である。計測センサー付きＢｅａｃｏｎ端末３１は、例えば数秒に一回というように、予め設定された一定周期で、予め設定されたエリア内に、Ｂｅａｃｏｎ信号を繰り返し発信する。当該エリアは、例えば、半径１０〜１００メートルの範囲で設定されるが、これらに限定されるものではなく、使用目的等に応じて適宜設定される。Ｂｅａｃｏｎ信号は、スマートデバイス端末２０に向けて発信されている信号であり、当該エリア内に存在するスマートデバイス端末２０がＢｅａｃｏｎ信号を受信する。計測センサー付きＢｅａｃｏｎ端末３１は、計測センサー、および、制御Ｉ／Ｏを備えている。計測センサー付きＢｅａｃｏｎ端末３１は、計測センサーを用いて、現場設備３０の稼働状況を示すデータを、常時、計測している。稼動状況を示すデータとしては、例えば、各設備の温度、電流、電圧などのデータが含まれる。以下では、当該データを計測データと呼ぶこととする。さらに、計測センサー付きＢｅａｃｏｎ端末３１は、無線ＬＡＮ通信機能を有しており、無線通信にて、計測センサーで取得された計測データをスマートデバイス端末２０に向けて送信する。計測センサー付きＢｅａｃｏｎ端末３１は、現場設備３０に対し、例えば、ＬＡＮ、ＵＳＢ（Ｕｎｉｖｅｒｓａｌ  Ｓｅｒｉａｌ  Ｂｕｓ）、ワイヤーケーブル等で接続されている。なお、図１においては、図の簡略化のために、計測センサー付きＢｅａｃｏｎ端末３１が１つだけ記載されているが、実際には、現場設備３０に含まれる各設備に対して１つずつ設置されることが望ましい。
【００２０】
図２を参照して、設備保全情報管理システム１の機能構成を説明する。なお、図２において、図１と同一の構成については同一符号を付して示している。図２に示すように、設備保全情報管理システム１は、サーバ装置１１、スマートデバイス端末２０、計測センサー付きＢｅａｃｏｎ端末３１を備えている。
【００２１】
サーバ装置１１について説明する。図１においては、サーバ装置１１が、表示部１２、入力部１３、通信部１４を備えていると説明した。しかしながら、サーバ装置１１は、図２に示すように、さらに、制御部１５、データ格納部１６、データ解析部１７、記憶部１８、位置情報処理部１９を備えている。以下に、サーバ装置１１のこれらの各部について説明する。
【００２２】
制御部１５は、ＣＰＵ（Ｃｅｎｔｒａｌ  Ｐｒｏｃｅｓｓｉｎｇ  Ｕｎｉｔ）と主記憶装置（Ｍｅｍｏｒｙ）で構成される。制御部１５は、データ格納部１６が格納しているデータを記憶部１８へ読み出す読出し処理、および、データ格納部１６へのデータの書込み処理など、各データ処理を実行する。制御部１５は、サーバ装置１１の中心となる装置である。制御部１５は、データ処理のみならず、サーバ装置１１のＯＳの処理も担う。
【００２３】
記憶部１８は、読み書きが自由に行えるＲＡＭ（Ｒａｎｄｏｍ  Ａｃｃｅｓｓ  Ｍｅｍｏｒｙ）から構成されている。記憶部１８は、サーバ装置１１のアプリケーションプログラムがスマートデバイス端末２０との通信によって取得した計測データをデータ格納部１６へ格納する前に一時的に記憶しておいたり、また、アプリケーションプログラムがデータ解析などの目的でデータ格納部１６から読出した保全情報データを一時的に記憶したりする。記憶部１８の用途は、それにとどまらず、一時記憶が必要な場合に使用される。
【００２４】
位置情報処理部１９は、スマートデバイス端末２０から送信されたＢｅａｃｏｎ受信情報を処理して、送信元となるスマートデバイス端末２０の場所を特定する機能を備える。また、スマートデバイス端末２０の位置情報が判明した場合、位置情報処理部１９は、データ格納部１６から、当該位置情報に該当する位置に設置された現場設備３０の保全情報データをデータ解析部１７を介して取り出す処理を行う。そうして取り出した現場設備３０の保全情報データを、位置情報処理部１９は、通信部１４を介して、送信元のスマートデバイス端末２０へ通知する。
【００２５】
通信部１４は、上述したように、ＬＡＮカード等のネットワーク機器で構成され、アクセスポイント４０などの有線、無線ネットワークを介して、サーバ装置１１とスマートデバイス端末２０との間のデータ送受信を行う機能を備える。通信部１４は、スマートデバイス端末２０との通信にとどまらず、ＬＡＮ通信が可能な端末との通信も行えるものとする。
【００２６】
データ格納部１６は、例えばＨＤＤ（Ｈａｒｄ  Ｄｉｓｋ  Ｄｒｉｖｅ）等の補助記憶装置から構成されている。サーバ装置１１を動かすうえで必要なＯＳ（Ｏｐｅｒａｔｉｎｇ  ｓｙｓｔｅｍ）または各種アプリケーションソフトの他、保全情報データ等のデータベースが格納される。データ格納部１６は、位置情報処理部１９またはデータ解析部１７などのサーバ装置１１内のアプリケーションプログラムがデータの読出し書込み処理を行える機構を備える。なお、保全情報データには、スマートデバイス端末２０から取得した計測データに時刻情報を追加した稼動状況データの他に、各設備の起動、停止などのタイミング情報、各設備の設置場所および設置時期、各設備で製造中の製品の製品番号および生産個数などが含まれる。なお、計測データに追加する時刻情報は、計測センサー付きＢｅａｃｏｎ端末３１の計測センサーがデータを計測した時刻でもよいし、あるいは、サーバ装置１１がスマートデバイス端末２０から計測データを受信した時刻でもよい。なお、稼動状況データとは、設備が稼動している状態で収集されるデータであり、電流、電圧、圧力、回転数、周波数、温度などを指す。また、これ以外にも設備の保全を行う上で必要なデータが該当する。
【００２７】
データ解析部１７は、位置情報処理部１９で処理した位置情報の解析を行うとき、および、スマートデバイス端末２０から保全情報データが要求されたとき等に、データ格納部１６より必要データを検索して分析・解析を実行する。
【００２８】
表示部１２は、上述したように、液晶ディスプレイ（ｌｉｑｕｉｄ  ｃｒｙｓｔａｌ  ｄｉｓｐｌａｙ）等から構成されており、保全情報データ等の各種データの表示を行う。
【００２９】
入力部１３は、上述したように、キーボード等から構成された入力装置であり、キー入力の受付処理を行う。
【００３０】
次に、スマートデバイス端末２０の構成について説明する。スマートデバイス端末２０は、図２に示すように、制御部２１、通信部２２、ＢＥＡＣＯＮ受信部２３、計測データ受信部２４、記憶部２５、データ表示部２６を備える。以下に、スマートデバイス端末２０のこれらの各部について説明する。
【００３１】
制御部２１は、サーバ装置１１の制御部１５と同様に、ＣＰＵと主記憶装置で構成される。制御部２１のＣＰＵは、通信部２２によってサーバ装置１１から受信したデータを処理し、記憶部２５に対してデータの読み書きを行う。
【００３２】
通信部２２は、無線ＬＡＮ機器で構成され、アクセスポイント４０との間の通信を無線通信により行う。そうして、通信部２２は、アクセスポイント４０を介して、サーバ装置１１との間でデータの送受信を行う。また、通信部２２は、ＢＬＥ（Ｂｌｕｅｔｏｏｔｈ  Ｌｏｗ  Ｅｎｅｒｇｙ）通信も備えており、低電力で通信が可能なものとする。
【００３３】
ＢＥＡＣＯＮ受信部２３は、Ｂｌｕｅｔｏｏｔｈで送信されるＢｅａｃｏｎ信号を受信する機能を備える。ＢＥＡＣＯＮ受信部２３は、スマートデバイス端末２０が計測センサー付きＢｅａｃｏｎ端末３１が発信するＢｅａｃｏｎ信号の受信可能エリア内に入ったタイミングで、計測センサー付きＢｅａｃｏｎ端末３１が発信するＢｅａｃｏｎ信号の受信処理を開始し、通信部２２を介して、サーバ装置１１へ、当該Ｂｅａｃｏｎ信号を受信したことを示すＢｅａｃｏｎ受信情報を送信する。これにより、サーバ装置１１は、Ｂｅａｃｏｎ受信情報に基づいて、スマートデバイス端末２０が、計測センサー付きＢｅａｃｏｎ端末３１のＢｅａｃｏｎ信号の受信可能エリア内に入ったことを認知することができ、その結果、スマートデバイス端末２０の位置情報も得ることができる。なお、計測センサー付きＢｅａｃｏｎ端末３１が複数台設置されている場合には、Ｂｅａｃｏｎ信号には、計測センサー付きＢｅａｃｏｎ端末３１を特定するためのＩＤ情報が含まれる。そのため、サーバ装置１１は、Ｂｅａｃｏｎ受信情報に含まれるＩＤ情報に基づいて、スマートデバイス端末２０が、どの計測センサー付きＢｅａｃｏｎ端末３１のＢｅａｃｏｎ信号の受信可能エリア内に入ったかを認知することができ、その結果、スマートデバイス端末２０の位置情報も得ることができる。
【００３４】
計測データ受信部２４は、計測センサー付Ｂｅａｃｏｎ端末３１がＢｅａｃｏｎ信号と同時に発信する計測データを受信する機能を備える。計測データには、設備の温度、電流、電圧など現場設備３０で計測可能なアナログデータ、Ｏｎ／Ｏｆｆデータ、パルスデータなどが含まれる。計測データ受信部１４は、通信部２２を介して、計測センサー付Ｂｅａｃｏｎ端末３１から受信した計測データをサーバ装置１１に送信する。
【００３５】
記憶部２５は、スマートデバイス端末２０に内蔵されているストレージ装置で、内蔵メモリまたはＳＤカード等で構成される。
【００３６】
データ表示部２６は、液晶パネルで構成されており、オペレータによるタッチ操作にてプログラム画面や各種操作が可能なものである。プログラム画面は、計測センサー付きＢｅａｃｏｎ端末３１より受信したリアルタイムな計測データのほかに、サーバ装置１１からダウンロードされる保全情報データを表示する。
【００３７】
スマートデバイス端末２０は、このように構成されており、作業員等のオペレータが携帯可能な可搬端末である。スマートデバイス端末２０は、現場設備３０の近傍に設置された計測センサー付きＢｅａｃｏｎ端末３１から発信されるＢｅａｃｏｎ信号を受信することで、自動的に、当該現場設備３０の監視用画面を表示して、計測センサー付きＢｅａｃｏｎ端末３１から併せて送信されてくる計測データを同時に受信して、リアルタイムに現場設備３０の計測データを監視用画面に表示するとともに、サーバ装置１１からダウンロードされる保全情報データを表示する。これにより、オペレータは、設備の近傍で、設備を見ながら、リアルタイムに設備の稼働状態を確認することができる。
【００３８】
図３Ａ〜図３Ｃに基づき、設備保全情報管理システムの動作について説明する。図３Ａは、Ｂｅａｃｏｎ信号受信後の処理の流れを示したフローチャートである。図３Ａの処理は、サーバ装置１１の動作である。図３Ｂ及び図３Ｃは、保全情報データ及び計測データの受信処理及び表示処理の流れを示したフローチャートである。図３Ｂ及び図３Ｃの処理は、スマートデバイス端末２０の動作である。
【００３９】
まず、図３Ａに基づいて、スマートデバイス端末２０によるＢｅａｃｏｎ信号の受信をトリガとする、その後のサーバ装置１１の動作について説明する。まず、スマートデバイス端末２０は、現場設備３０のうちのいずれかの設備に接続された計測センサー付Ｂｅａｃｏｎ端末３１からのＢｅａｃｏｎ信号を受信すると、当該Ｂｅａｃｏｎ信号を受信したことを示すＢｅａｃｏｎ受信情報をサーバ装置１１へ送信する。
【００４０】
一方、サーバ装置１１は、図３Ａに示すように、通信部１４が、Ｂｅａｃｏｎ受信情報を常時ポーリングしており（ステップＳ２１）、Ｂｅａｃｏｎ受信情報を受信すると、位置情報処理部１９が、Ｂｅａｃｏｎ受信情報に基づいて、Ｂｅａｃｏｎ受信情報の送信元のスマートデバイス端末２０が、計測センサー付Ｂｅａｃｏｎ端末３１のエリア内にいるとして、スマートデバイス端末２０の位置を特定する。なお、計測センサー付Ｂｅａｃｏｎ端末３１が複数個設置されている場合には、Ｂｅａｃｏｎ受信情報に、計測センサー付Ｂｅａｃｏｎ端末３１のＩＤ情報が含まれているので、位置情報処理部１９は、当該ＩＤ情報に基づいて、スマートデバイス端末２０の位置を特定する。なお、この場合、位置情報処理部１９は、各ＩＤ情報と計測センサー付Ｂｅａｃｏｎ端末３１の設置位置とを対応させて記憶するＢｅａｃｏｎ端末位置テーブルを予め記憶している。従って、ＩＤ情報から計測センサー付Ｂｅａｃｏｎ端末３１の設置位置を求めることで、スマートデバイス端末２０の位置を特定することができる。さらに、サーバ装置１１の位置情報処理部１９はは、特定されたスマートデバイス端末２０の位置に基づいて、データ格納部１６に格納されている設備位置テーブルを用いて、スマートデバイス端末２０がどの設備の近傍にいるかを特定する（ステップＳ２２）。なお、設備位置テーブルは、各設備ごとに、当該設備の設置位置を記憶している。これにより、スマートデバイス端末２０の位置情報に基づいて、スマートデバイス端末２０の近傍の設備を特定することができる。あるいは、設備位置テーブルが、各設備ごとに、計測センサー付Ｂｅａｃｏｎ端末３１のＩＤ情報が格納されていてもよい。その場合には、当該ＩＤ情報に基づいて、各設備を特定することができる。
【００４１】
次に、ステップＳ２２の処理において、該当する設備が特定できたか否かを判定する（ステップＳ２３）。
【００４２】
該当する設備が特定できた場合には（ステップＳ２３：Ｙｅｓ）、サーバ装置１１の位置情報処理部１９は、データ解析部１７を介して、当該設備の保全情報データをデータ格納部１６のデータベースより検索し、当該保全情報データの中から、スマートデバイス端末２０へ送信するべき保全情報データを抽出して、記憶部１８に展開する（ステップＳ２４）。その後、記憶部１８に展開された保全情報データは、通信部１４および通信ネットワークＮｅｔを介して、スマートデバイス端末２０へ送信される（ステップＳ２５）。
【００４３】
一方、該当する設備が存在しないと判定された場合（ステップＳ２３：Ｎｏ）、設備情報無しのエラーメッセージを付随させて送信元のスマートデバイス端末２０に応答を行い（ステップＳ２６）、処理を終了する。
【００４４】
次に、図３Ｂに基づいて、サーバ装置１１からの保全情報データ受信及び表示処理のスマートデバイス端末２０の動作について説明する。
【００４５】
図３Ｂに示すように、スマートデバイス端末２０は、現場設備３０が設置されている現場で、Ｂｅａｃｏｎ信号を受信した際、当該Ｂｅａｃｏｎ信号を受信したことを示すＢｅａｃｏｎ受信情報をサーバ装置１１へ送信して、当該受信の通知を行う（ステップＳ３０）。
【００４６】
スマートデバイス端末２０は、ステップＳ３０でＢｅａｃｏｎ信号を受信していることから分かるように、現場設備３０のうちの何らかの設備近傍にいるため、通信部２２は、サーバ装置１１からの保全情報データの応答待ちを行う（ステップＳ３１）。
【００４７】
サーバ装置１１から通信部２２に対して保全情報データの応答があった場合（ステップＳ３１：Ｙｅｓ）、スマートデバイス端末２０は、制御部２１が、保全情報データの受信処理を行い（ステップＳ３２）、ステップＳ３３に進む。
【００４８】
一方、サーバ装置１１より保全情報データが無い場合（ステップＳ３１：Ｎｏ）、スマートデバイス端末２０は、保全情報データ受信処理（ステップＳ３２）をスキップして、ステップＳ３３に進む。
【００４９】
スマートデバイス端末２０は、ステップＳ３２で保全情報データを受信した場合、制御部２１により、保全情報データを、一旦、記憶部２５の保全情報データメモリエリアに展開し、保全情報画面表示処理を行い（ステップＳ３３）、スマートデバイス端末２０のデータ表示部２６の表示画面に、設備の稼働状況を確認するための監視用画面を表示し、当該監視用画面上に保全情報データの表示を行う。また、ステップＳ３２をスキップした場合は、単に、スマートデバイス端末２０のデータ表示部２６の表示画面に、設備の稼働状況を確認するための監視用画面を表示する。
【００５０】
続いて、図３Ｃに基づいて、スマートデバイス端末２０の計測データ受信・表示処理の動作について説明する。
【００５１】
まずは、スマートデバイス端末２０は、Ｂｅａｃｏｎ信号を受信しているかの判定を行う（ステップＳ４０）。Ｂｅａｃｏｎ信号を受信（ステップＳ４０：Ｙｅｓ）している場合、計測データの受信判定処理へ移行する（ステップＳ４１）。一方、Ｂｅａｃｏｎ信号を受信していない場合（ステップＳ４０：Ｎｏ）、スマートデバイス端末２０は、処理をキャンセルして、Ｂｅａｃｏｎ信号の受信待ち状態へ戻る。
【００５２】
計測データの受信判定処理では、スマートデバイス端末２０は、計測センサー付きＢｅａｃｏｎ端末３１から現在の現場設備３０の稼働状態を示す計測データが、計測データ受信部２４で受信されているかの判定を行う（ステップＳ４１）。受信している場合は、スマートデバイス端末２０の制御部２１は、稼働状態情報（計測データ）の受信処理（ステップＳ４２）を行い、記憶部２５の計測データメモリエリアへ展開する。
【００５３】
次に、計測データ画面表示処理では、スマートデバイス端末２０は、記憶部２５に展開されている計測データの表示を、データ表示部２６の表示画面の監視用画面で行う（ステップＳ４３）ことで、処理を完了する。
【００５４】
一方、ステップＳ４１の判定で、受信していないと判定された場合は、ステップＳ４２，Ｓ４３の処理をスキップして、処理を完了する。
【００５５】
なお、スマートデバイス端末２０がＢｅａｃｏｎ信号の受信可能エリアにいる場合、計測センサー付きＢｅａｃｏｎ端末３１から稼働状態を示す計測データが継続して送られてくるため、随時、ステップＳ４２の計測データ受信処理およびステップＳ４３の計測データ画面表示処理が、繰り返し行われる。
【００５６】
また、スマートデバイス端末２０が複数のＢｅａｃｏｎ信号を受信した場合（複数設備のエリア）、サーバ装置１１は、すべてのＢｅａｃｏｎ信号に対し処理を応答する。
【００５７】
以上のように、実施の形態１においては、工場内をオペレータが巡回する際、現場設備３０に接続された計測センサー付きＢｅａｃｏｎ端末３１が発信するＢｅａｃｏｎを、オペレータが携帯するスマートデバイス端末２０にて受信し、Ｂｅａｃｏｎ受信情報を送信して、サーバ装置１１に照会を行う。サーバ装置１１は、Ｂｅａｃｏｎ受信情報に基づいて、当該Ｂｅａｃｏｎ信号に対応する設備がどのロケーションにある設備かを特定する。サーバ装置１１は、スマートデバイス端末２０からの照会の応答として、スマートデバイス端末２０に対し、該当する設備の動作特性および保全情報を含む保全情報データを送信する。スマートデバイス端末２０は、保全情報データと計測センサー付きＢｅａｃｏｎ端末３１から取得した計測データとを表示画面に表示する。このように、現場設備３０に、計測センサーおよび制御Ｉ／Ｏを備えた計測センサー付きＢｅａｃｏｎ端末３１を設置しておくことで、オペレータは、自身が携帯するスマートデバイス端末２０で、各設備の保全情報データと併せて、各設備の現在の計測データ等の稼働状況を確認することができる。
【００５８】
このように、実施の形態１では、オペレータが或る設備に接近することで、計測センサー付きＢｅａｃｏｎ端末３１からのＢｅａｃｏｎ信号がスマートデバイス端末２０によって受信され、それがトリガとなって、スマートデバイス端末２０の表示画面に、設備の稼動状況を監視するための監視用画面が自動的に表示される。また、それと同時に、サーバ装置１１から、当該設備の保全情報データがダウンロードされるとともに、計測センサー付きＢｅａｃｏｎ端末３１からの計測データが受信される。これにより、監視用画面に、保全情報データと計測データとが表示されるので、オペレータは、設備を見ながら、それらのデータを閲覧および分析・解析することができる。このように、スマートデバイス端末２０を用いて、現場設備３０の機側にてタイムリーに設備の保全情報をキャッチできることで、現場での保全業務が迅速に対応できる。また、そのことで設備の予防・予知保全につながり、その結果、設備の故障率の低下、修理・交換などのメンテナンス費用の低減を図ることができる。
【００５９】
実施の形態２．
図４は、この発明の実施の形態２に係る設備保全情報管理システム１Ａの構成を示すブロック図である。上記実施の形態１では、スマートデバイス端末２０を携帯したオペレータが、現場設備３０のうちのいずれかの設備の近傍に行き、スマートデバイス端末２０でＢｅａｃｏｎ信号を受信することで、オペレータの近傍に存在する設備の保全情報データの授受を行う場合について述べたが、実施の形態２では、図４に示すように、計測センサー付Ｂｅａｃｏｎ端末３１の代わりに、計測センサー機能を有さないＢｅａｃｏｎ発信機能のみを有するＢｅａｃｏｎ端末３１Ａを用いる。
【００６０】
他の構成および動作については、図１と同様であるため、図１と同一符号を付して示し、ここでは、その説明を省略する。
【００６１】
実施の形態２においては、設備単位または生産ライン単位などで任意の仮想的なエリアを工場内に設ける。図４の例では、工場内に、３つの生産ライン１Ａ、２Ａ，３Ａ（符号５０〜５２）が設置され、各生産ラインごとに仮想的なエリアが設置されているとする。各エリアには、Ｂｅａｃｏｎ端末３１Ａが設置されており、オペレータＯｐ１が保有するスマートデバイス端末２０が、各エリア内に入った場合に、各エリアで発信されるＢｅａｃｏｎ信号をキャッチする。
【００６２】
次に、図５に基づいて、実施の形態２に係る設備保全情報管理システム１Ａの動作について説明する。
【００６３】
スマートデバイス端末２０は、Ｂｅａｃｏｎ信号を受信しているかの判定を行う（ステップＳ５０）。Ｂｅａｃｏｎ信号を受信（ステップＳ５０：Ｙｅｓ）している場合、スマートデバイス端末２０は、受信したＢｅａｃｏｎ信号について、当該Ｂｅａｃｏｎ信号を受信したことを示すＢｅａｃｏｎ受信情報をサーバ装置１１に送信する。Ｂｅａｃｏｎ受信情報には、当該Ｂｅａｃｏｎ信号のＩＤ情報が含まれている。
【００６４】
サーバ装置１１内の位置情報処理部１９は、データ格納部１６に格納されているＢｅａｃｏｎ端末テーブルに基づいて、送られてきたＩＤ情報をもとに、Ｂｅａｃｏｎ信号の発信元が、どのＢｅａｃｏｎ端末かを判定する（ステップＳ５１）。なお、Ｂｅａｃｏｎ端末テーブルには、各Ｂｅａｃｏｎ端末３１Ａごとに、当該Ｂｅａｃｏｎ端末３１ＡのＩＤ情報が対応されて格納されている。
【００６５】
次に、サーバ装置１１内の位置情報処理部１９は、送られてきたＩＤ情報をもとに、データ格納部１６に格納されているＢｅａｃｏｎ端末エリアテーブルに基づいて、ステップＳ５１で特定したＢｅａｃｏｎ端末３１Ａが、どのエリアのものかの判定処理を行う（ステップＳ５２）。なお、Ｂｅａｃｏｎ端末エリアテーブルには、各Ｂｅａｃｏｎ端末３１Ａごとに、当該Ｂｅａｃｏｎ端末３１ＡのＩＤ情報とエリアとが対応されて格納されている。
【００６６】
次に、サーバ装置１１内の位置情報処理部１９は、ステップＳ５２の判定結果に、ＩＤ情報を受信した時刻などの付随データをあわせて、データ格納部１６へ格納する。
【００６７】
一方、ステップＳ５０の判定処理で、Ｂｅａｃｏｎ信号を受信していないと判定された場合（ステップＳ４０：Ｎｏ）、スマートデバイス端末２０は、処理をキャンセルして、Ｂｅａｃｏｎ信号の受信待ち状態へ戻る。
【００６８】
こうして、実施の形態２では、サーバ装置１１は、表示部１２で、どのスマートデバイス端末２０がどのエリアにいつ入ったかを確認可能な画面表示を行う。
【００６９】
これにより、オペレータＯｐ１がどの時間にどのエリアに居たかまたは居るかを認識することができるので、工場内に残っている作業員の在席管理を行うことが可能となる。こうして、工場内のどのエリアに作業員が何人残っているかを把握することで、工場内の人的安全の管理にも使用することができる。
【００７０】
なお、実施の形態２では、Ｂｅａｃｏｎ端末３１Ａが計測センサー機能を有さないと説明した。そのため、例えば、各設備および各生産ラインに対して、それらの稼働状況を計測する計測センサーを設けておき、当該計測センサーに無線機能を有するパソコン等の端末を接続して、当該端末からスマートデバイス端末２０に計測データを送信するようにしてもよい。
【符号の説明】
【００７１】
１  設備保全情報管理システム、１１  サーバ装置、１２  表示部、１３  入力部、１４  通信部、１５  制御部、１６  データ格納部、１７  データ解析部、１８  記憶部、１９  位置情報処理部、２０  スマートデバイス端末、２１  制御部、２２  通信部、２３  ＢＥＡＣＯＮ受信部、２４  計測データ受信部、２５  記憶部、２６  データ表示部、３０  現場設備、３１  計測センサー付きＢｅａｃｏｎ端末、３１Ａ  Ｂｅａｃｏｎ端末、４０  アクセスポイント、５０  生産ライン１Ａ、５１  生産ライン２Ａ、５２  生産ライン３Ａ、Ｎｅｔ  通信ネットワーク。
【図１】
2018156373.tif 000003
【図２】
2018156373.tif 000004
【図３Ａ】
2018156373.tif 000005
【図３Ｂ】
2018156373.tif 000006
【図３Ｃ】
2018156373.tif 000007
【図４】
2018156373.tif 000008
【図５】
2018156373.tif 000009
【図６】
2018156373.tif 000010